(57)【特許請求の範囲】
【請求項１】
プールの一部に可動床を備えたプールにおいて、可動床に設けられ、可動床を上昇させたときに、可動床とプール底など可動床以外の床面との間の隙間から可動床下へ人や物が入り込むのを防止するため上記隙間を塞ぎ、可動床を降下させるときにはプール床に凹設される収納部に格納可能である侵入防止壁であって、上下方向に複数に分割され、ヒンジによって屈折可能に連結される隔壁板と、複数に分割された隔壁板の最上部を除く箇所と可動床を連結するリンク機構とよりなり、該リンク機構は、収納部底に係合する移動部を有し、可動床の降下により上記移動部が収納部底を移動するのに伴い、隔壁板がヒンジで屈折されて折り込まれるようにしたことを特徴とするプールの可動床用侵入防止壁。
【請求項２】
プールの一部に可動床を備えたプールにおいて、可動床に設けられ、可動床を上昇させたときに、可動床とプール底など可動床以外の床面との間の隙間から可動床下へ人や物が入り込むのを防止するため上記隙間を塞ぎ、可動床を降下させるときにはプール床に凹設される収納部に格納可能である侵入防止壁であって、上下方向に複数に分割され、ヒンジによって屈折可能に連結される隔壁板と、複数に分割された隔壁板の最上部を除く箇所と可動床を連結するリンク機構とよりなり、収納部には隔壁板下端を案内する傾斜ないし彎曲したガイドを有し、可動床を降下させるとき隔壁板が下端をガイドに案内されながらヒンジで屈折されて折り込まれるようにしたことを特徴とするプールの可動床用侵入防止壁。
【請求項３】
リンク機構が隔壁板と可動床を連結する、一方向にのみ屈折可能なリンクを有することを特徴とする請求項１又は２記載のプールの可動床用侵入防止壁。
【請求項４】
プールの一部に可動床を備えたプールにおいて、可動床を上昇させたときに、可動床とプール底など可動床以外の床面との間の隙間から可動床下へ人や物が入り込むのを防止するため可動床に設けられプールの一部に可動床を備えたプールにおいて、可動床を上昇させたときに、可動床とプール底など可動床以外の床面との間の隙間から可動床下へ人や物が入り込むのを防止するため可動床に設けられ、可動床を降下させるときにはプール底に凹設される収納部に格納可能な侵入防止壁であって、上下方向に複数に分割され、ヒンジによって屈折可能に連結される隔壁板を有し、ヒンジを構成するピンが直接或いはピンに軸支されるコロが収納部内に設けられるガイドレールにスライド可能に嵌合することを特徴とするプールのプールの可動床用侵入防止壁。
【請求項５】
隔壁板が一方向のみ屈折可能に連結されることを特徴とする請求項４記載のプールの可動床用侵入防止壁。
【発明の詳細な説明】
【０００１】
【発明が属する技術分野】
本発明は、プールの一部に可動床を備えたプールにおいて、可動床を上昇させたときに、可動床とプール底など可動床以外の床面との間の隙間から可動床下へ人や物が入り込むのを防止するため可動床に設けられる侵入防止壁に関する。
【０００２】
【従来技術】
この種の侵入防止壁として特開平１１−１１７５５９号には、侵入防止壁を可動床より垂下する第１の壁板と、第１の壁板に鉛直方向の蟻溝や筒状体よりなるガイド部により昇降可能に支持される第２の壁板とより構成し、可動床を降下させるときには先ず、第２の壁板下端がプール底に凹設した収納部底に当たり、ついで第１の壁板がガイド部に案内されて降下し、第２の壁板に重なって収納部に格納されるようになっており、格納状態より可動床を上昇させると、第１の壁板がガイド部に沿って上昇し、ついで第２の壁板が第１の壁板に支持されて上昇するようになっている。
【０００３】
【発明が解決しようとする課題】
上述する侵入防止壁によると、収納部の存在によって生ずるデッドスペースを小さく抑えることができ、この種プールの製造コストを低減させることができるが、可動床の昇降時、ガイド部でこじれて可動床のスムースな昇降が行えなくなるおそれがある。
【０００４】
本発明は、収納部の存在によって生ずるデッドスペースを小さく抑えることができるようにすると共に、可動床の昇降がスムースに行えるようなプールの可動床用侵入防止壁を提供することを目的とする。
【０００５】
【課題の解決手段】
請求項１に係わる発明は、プールの一部に可動床を備えたプールにおいて、可動床に設けられ、可動床を上昇させたときに、可動床とプール底など可動床以外の床面との間の隙間から可動床下へ人や物が入り込むのを防止するため上記隙間を塞ぎ、可動床を降下させるときにはプール床に凹設される収納部に格納可能である侵入防止壁であって、上下方向に複数に分割され、ヒンジによって屈折可能に連結される隔壁板と、複数に分割された隔壁板の最上部を除く箇所と可動床を連結するリンク機構とよりなり、該リンク機構は、収納部底に係合する移動部、例えばコロを有し、可動床の降下により上記移動部が収納部底を移動するのに伴い、隔壁板がヒンジで屈折されて折り込まれるようにしたことを特徴とし、
請求項２に係わる発明は、プールの一部に可動床を備えたプールにおいて、可動床に設けられ、可動床を上昇させたときに、可動床とプール底など可動床以外の床面との間の隙間から可動床下へ人や物が入り込むのを防止するため上記隙間を塞ぎ、可動床を降下させるときにはプール床に凹設される収納部に格納可能である侵入防止壁であって、上下方向に複数に分割され、ヒンジによって屈折可能に連結される隔壁板と、複数に分割された隔壁板の最上部を除く箇所と可動床を連結するリンク機構とよりなり、収納部には隔壁板下端を案内する傾斜ないし彎曲したガイドを有し、可動床を降下させるとき隔壁板が下端をガイドに案内されながらヒンジで屈折されて折り込まれるようにしたことを特徴とする。
【０００６】
上記各発明によると、隔壁板はヒンジで屈折されて収納部内に折り込まれることにより収納部の深さを浅くし、デッドスペースを小さく抑えることができ、また一方向の動きのみを行い、その他の動きが規制されるようなガイド部を有していないので、隔壁板のスムースな開閉が損なわれることもない。
【０００７】
請求項３に係わる発明は、請求項１又は２に係わる発明において、リンク機構が隔壁板と可動床を連結する、一方向にのみ屈折可能なリンクを有することを特徴とする。
本発明によると、リンクを真直ぐに延ばした状態で隔壁板を突張ることにより、リンクが突っかえ棒となって隔壁板を押し込んでも隔壁板が折り込まれることがない。
【０００８】
リンクを一方向にのみ折り込むことができるようにするには、例えば図１に示すようにリンク１ａの溝２端に先端を円弧に形成したリンク１ｂ端を嵌合して両リンク１ａ、１ｂをピン３により連結するとよい。この場合、両リンク１ａ、１ｂは矢印方向のみ折りたゝみ可能となる。
【０００９】
請求項４に係わる発明は、プールの一部に可動床を備えたプールにおいて、可動床に設けられ、可動床を上昇させたときに、可動床とプール底など可動床以外の床面との間の隙間から可動床下へ人や物が入り込むのを防止するため上記隙間を塞ぎ、可動床を降下させるときにはプール床に凹設される収納部に格納可能である侵入防止壁であって、上下方向に複数に分割され、ヒンジによって屈折可能に連結される隔壁板を有し、ヒンジを構成するピンが直接或いはピンに軸支されるコロが収納部内に設けられるガイドレールにスライド可能に嵌合されることを特徴とする。
【００１０】
本発明による場合、ガイドレールを彎曲させると、隔壁板はガイドレールに沿って屈折しながら格納され、ガイドレールを鉛直方向の短いレールで構成すると、ガイドレールを出て降下する隔壁板は、収納部底に当たって折り重なるか、或いは収納部底に延出して収納される。いずれの場合もガイドレールを移動するピン或いはコロはガイドレールとは線接触し、ガイドレールとの接触面積が小さいためガイドレールでのこじれを生じにくい。
【００１１】
請求項５に係わる発明は、請求項４に係わる発明において、隔壁板が一方向のみ屈折可能に連結されることを特徴とする。
本発明によると、隔壁板を押し込んでも内側に撓まないようにすることができる。
【００１４】
【発明の実施の形態】
図２は、可動床１１に取り付けられる隔壁板１２と、可動床１１と隔壁板１２を連結するリンク機構１３について示すもので、隔壁板１２は可動床１１に支持されて垂下する上側部１２ａと、該上側部１２ａにピン１４により屈折可能に連結される下側部１２ｂよりなり、下側部端にはコロ１５が軸支されている。
【００１５】
リンク機構１３は、ピンにより軸支されるリンク１３ａ、リンク１３ｂ及びリンク１３ｃと、リンク１３ａと共に可動床１１に軸支されるリンク１３ｄと、上端においてリンク１３ｃとリンク１３ｄに軸支される鉤形のリンク１３ｅよりなり、可動床１１と隔壁板１２の下側部１２ｂを連結するリンク１３ａとリンク１３ｂは、図１に示すように一方向にのみ、すなわちＶ形状にのみ屈折できるようになっている。
【００１６】
リンク１３ｅは下端に軸着され、収納部１７の底面を転動するコロ１６を有する。図中、１８はプール底を示す。
図２は、可動床１１が上昇位置にあって、隔壁板１２が真っ直ぐに伸ばされ、上側部１２ａが可動床１１とプール底１８との間の隙間を防いでリンク１３ａとリンク１３ｂが真直ぐに伸ばされ、下側部１２ｂを突張った状態にしている。この状態で上側部１２ａを押し込んでも一直線に伸びたリンク１３ａ、１３ｂが突っかい棒となり（リンク１３ａ、１３ｂは一直線に伸びたリンク１３ｃ及び１３ｅで支持される）、押し込まれることはない。
【００１７】
可動床１１を降下させると、図３に示すようにリンク１３ｅ端のコロ１６が収納部１７の底面を転動しながらリンク１３ａ及び１３ｂをＶ形状に屈折させ、隔壁板１２の下側部１２ｂが屈折しながら降下し、下側部のコロ１５が収納部底に当たる。可動床１１が更に降下すると、コロ１５が収納部底を転動しながら下側部１２ｂが屈折し、コロ１６がリンク１３ｅと共に撥ね上がる。図４は、可動床１１がプール底１８と合致する位置まで降下した状態を示す。
【００１８】
別の実施形態では、収納部１７に図２の一点鎖線で示す傾斜したガイド１９が形成され、隔壁板下側部１２ｂ端のコロ１５がガイド１９に沿って移動できるようにしてある。この実施形態においては、リンク１３ａ〜１３ｅを省くこともできる。
【００１９】
図５に示す侵入防止壁は、隔壁板２１が多数のパネル２１ａで構成され、各パネル２１ａはヒンジを構成するピン２２で連結されている。そして図１に示す方法と同様の方法により図５の左側にのみ屈折できるようにしてある。収納部２３にはまた、下向きに彎曲するガイドレール２４が設置され、ピン２２に軸支したコロ２５がガイドレール２４を転動しうるようになっている。
【００２０】
本実施形態の侵入防止壁では、可動床１１が降下すると、隔壁板２１がガイドレール２４に沿って彎曲しながら降下し、ガイドレール２４を出て収納部底上に延出する。
図６に示す侵入防止壁は、図５に示す侵入防止壁と同様、隔壁板３１が多数のパネル３１ａで構成され、各パネル３１ａはピンで連結されて一方向にのみ屈折できるようになっている。そして側端面にはチェーン（図示しない）が添設され、収納部３２に設置したスプロケット３３がチェーンに噛合し、可動床１１の昇降によりスプロケット３３が従動するようになっている。このスプロケット３３はチェーンに噛合して隔壁板３１を抑え、隔壁板３１が外部から押込まれないようにする機能と隔壁板３１の動きをガイドする機能を有している。
【００２１】
本実施形態においては、図５に示す隔壁板２１と同様、可動床１１が降下すると、スプロケット３３より出た隔壁板３１は収納部底に延出する。
【００２２】
【発明の効果】
請求項１及び２に係わる発明によると、隔壁板が収納部に折り込まれて格納されることにより収納部の深さを浅くし、収納部の存在によって生ずるデッドスペースを小さく抑えることができ、プールの製造コストを低減させることができること、可動床の昇降による隔壁板の折り込みは、リンク機構によって行われ、従来のこの種侵入防止壁のように、可動床の昇降によってこじれを生じ易いガイド部を有しないので、隔壁板のスムーズな動きが損なわれることがないこと等の効果を奏し、請求項２に係わる発明においては更に、隔壁板がガイドに案内されて屈折することにより、リンク機構のこうした機能を奏するための機構を省き、全体としてリンク機構を簡素化することができる。
【００２３】
請求項３に係わる発明においては、真っ直ぐに伸びたリンクが突っかい棒となり、隔壁板が押し込まれるのを阻止する。
請求項４に係わる発明においては、隔壁板が収納部に折り込まれて格納されることにより収納部の深さを浅くし、収納部の存在によって生ずるデッドスペースを小さく抑えることができ、プールの製造コストを低減させることができること、ピン或いはコロはガイドレールとは線接触して転動するためガイドレールでのこじれを生じにくいこと等の効果を奏する。
【００２４】
請求項５に係わる発明においては、隔壁板が内側に押し込まれて撓まないようにすることができる。
【図面の簡単な説明】
【図１】一方向にのみ折り込むことができるリンクの連結部分を示す図。
【図２】本発明に係わる侵入防止壁について示すもので、可動床が上昇したときの正面図。
【図３】可動床が降下して隔壁板が折り込まれるときの状態を示す正面図。
【図４】隔壁板が折り込まれた状態を示す正面図。
【図５】侵入防止壁の別の例を示す正面図。
【図６】侵入防止壁の更に別の例を示す正面図。
【符号の説明】
１ａ、１ｂ、１３ａ、１３ｂ、１３ｃ、１３ｄ、１３ｅ・・リンク
２・・溝
３、１４、２２・・ピン
１１・・可動床
１２、２１、３１・・隔壁板
１３・・リンク機構
１５、１６、２５・・コロ
１７、２３、３２・・収納部
１８・・プール底
２１ａ、３１ａ・・パネル
２４・・ガイドレール
３３・・スプロケット
【図１】
0003747172.tif 000002
【図２】
0003747172.tif 000003
【図３】
0003747172.tif 000004
【図４】
0003747172.tif 000005
【図５】
0003747172.tif 000006
【図６】
0003747172.tif 000007